(57)【要約】装用型撮像装置は、撮像装置本体と、撮像装置本体に取り付けられるとともに使用者の手または指に嵌合及び装着されるストラップと、前記装置の作動機能を表示する表示灯とを備え、この表示灯は前記ストラップに組み込まれる。ストラップは柔軟な材料から好適に形成される。前記表示灯は、ストラップの全長の一部または実質的に全体に形成された柔軟な発光バンドを備える。
2008515025.tif 000002
【特許請求の範囲】
【請求項１】
装用型撮像装置であって、撮像装置本体と、撮像装置本体に取り付けられるとともに使用者の手または指に嵌合及び装着されるストラップと、前記装置の作動機能を表示する表示灯とを備え、表示灯がストラップに組み込まれる装用型撮像装置。
【請求項２】
前記ストラップは柔軟な材料からなる請求項１に記載の装置。
【請求項３】
前記表示灯は、ストラップの全長の一部または実質的に全体に形成された柔軟な発光バンドを備える請求項１または２に記載の装置。
【請求項４】
前記表示灯は、一つ以上の発光ダイオード（ＬＥＤ）、一つ以上のエレクトロルミネセント装置、一つ以上の有機発光ダイオード、及び一つ以上のレーザ・ファイバまたはフィラメントのうちの一つ以上からなる請求項１〜３のいずれか一項に記載の装置。
【請求項５】
前記表示灯は、異なる複数色の光を発する請求項１〜４のいずれか一項に記載の装置。
【請求項６】
前記表示灯は、織物構造に組み込まれる柔軟な材料を備える請求項１〜５のいずれか一項に記載の装置。
【請求項７】
前記織物構造は、ストラップ材料を含む請求項６に記載の装置。
【発明の詳細な説明】
【技術分野】
【０００１】
本発明は装用型撮像装置に関し、詳細にはデータ収集及び通信装置に関する。
【背景技術】
【０００２】
装用型装置はデータ収集及びデータ通信に関する機能の範囲でますます使用されている。このような装置は、例えば、バーコードもしくは画像の捕捉、識別、照合、及びパーセルロケーション及びトラッキング等のサービスに使用される。該サービスは、捕捉した情報に関するデータの送信を含む。このような装置は、使用者によって手の指、手のひらの表または裏、手首、或いは前腕に装着される。
【０００３】
これらの装置は通常、できる限り小型かつ軽量に作られる。そして、これらの装置は、使用者が携帯する受信機、例えば大きなベルトに装着された受信機、または卓上コンピュータのような近傍端末へ、ブルートゥースのような短距離無線リンクによって通信する。卓上コンピュータは、使用者の入力及び情報の表示のためのキーボード及び表示装置を有していてもよい。
【０００４】
例えばバーコードまたは静止画像に関するデータの捕捉及び通信のための公知の装置は、レンズ、結像素子のような光学的結像器、マイクロプロセッサ、短距離無線送信機、アンテナ及びバッテリを収容したハウジングまたは本体からなる。そして通常はＬＥＤ（発光ダイオード）のような表示灯が本体に組み込まれる。この表示灯は、バーコードまたは画像の捕捉、及び／またはデータ送信が成功したことを示すために使用される。前記ハウジングまたは本体は、例えば使用者の二本の指に巻き付けられた状態で携行されるように設計された使用者装用型ストラップを含む。
【発明の開示】
【発明が解決しようとする課題】
【０００５】
人間工学的な理由から、ハウジングまたは本体、及び前述した類の装置の構成要素の重量をできる限り減少することが望ましい。理由としては、このような装置は、ハウジング及び構成要素の重量が、装置の重心と指ストラップの中央までの距離とを通じて作用して、てこの力を形成するからである。８〜１０時間という操作者の標準的な交代勤務時間に亘り、そのような力は、オペレータの疲労及び、長期的にはＲＳＩ（反復性のストレス障害）を引き起こすことがある。
【０００６】
また、全ての使用モードにおいて容易に可視可能とするために、前記表示灯の位置は慎重に選択されなければならない。この要求は、多くのエネルギ消費を伴う複数のＬＥＤ等の照明の使用を余儀なくさせ、これにより、重量がさらに増大する。
【課題を解決するための手段】
【０００７】
本発明の目的は、上記不具合が減少したデータ収集及び通信装置のような使用者装用型撮像装置を提供することにある。
本発明に従い、請求項１に係る装用型撮像装置が提供される。
【０００８】
この装置は、例えばデータ収集及び通信装置であってもよい。
【発明を実施するための最良の形態】
【０００９】
図１は、公知の装用型撮像装置１の斜視図であって、該装用型撮像装置１は対象物、例えば読み取られるべきバーコードを有するパッケージまたは製品の光学（可視または赤外線）画像を捕捉する。装置１は本体３を有し、該本体３は図示しない光学スキャナ及び読み取り機、電子処理回路及びＲＦ送信機を内蔵し、これらは、捕捉した画像に関する情報を他の端末（例えば、使用者が携行するユニットまたは他の場所に設置されたユニット）に送信する。光学スキャナから発せられる放射は、本体３の前面９における窓／レンズユニット７を介して発せられるビーム５として示される。上面１１にはＬＥＤ表示器１３が組み込まれ、該ＬＥＤ表示器１３は画像の走査及び読み取りの正しい作動を表示するために点灯する。本体３及び本体３の収容物は、ストラップ１５に支持された状態で使用者によって携行される。ストラップ１５は、二つのスロット１７及び１９を形成するべく湾曲している。スロット１７及び１９には、使用者の二本の指（図示せず）が通され、本体３は使用者の指に支持された状態で保持される。
【００１０】
図２は、本発明を具体化した装用型撮像装置２１の斜視図である。図１と同じ参照符号が付された装置２１の部材は、図１の部材と同じ機能を有する。図２において、使用者の指を本体３とストラップ１５との間へ容易に収容するための、本体３の下面に形成された二つの湾曲した凹部２３、２５がさらに明確に示される（二つの凹部は図１の装置にも設けられている）。装置２１において、本体３にはＬＥＤ表示器が存在しない。代わりに、ストラップ１５が、同様の形状のストラップ２７に変更されている。ストラップ２７には、発光表示器として機能する柔軟なバンド２９が組み込まれている。バンド２９は、ＬＥＤによって構成された柔軟な帯状体によって形成されてもよい。バンド２９は、本体３の内部のバッテリ（図示せず）との連結部（図示せず）を有する。
【００１１】
ＬＥＤの代わりに、ＥＬ（エレクトロルミネセント）、ＯＬＥＤ（有機ＬＥＤ）及びレーザ・ファイバのような公知の発光技術に基づいた、柔軟な材料に組み込まれる他の光源を用いることができる。
【００１２】
さらに、例えば装置２１に関する異なった作動表示を示すための複数の異なった色表示を提供すべく、複数の異なった色源を用いることができ、複数の色源は、互いに平行または共に寄り合わせて用いられる。
【００１３】
さらに、上記光源は、ストラップ材料に一体に組み立てられたり、例えば繊維材としてのストラップ材料と共に織られたりすることもできる。このようにして、光源及びストラップ材料は、ストラップ及び発光表示器の両方を一体で柔軟な構造に形成する。
【００１４】
図２に示された実施例は指に搭載される装置に係るものであるが、同じ原理が同様に、撮像装置を携行するための手首ストラップ、手のひらストラップ及び前腕ストラップに適用し得る。
【００１５】
図２に示された装置及び本発明の別例は、以下の一以上の利点を有する。
（ｉ）使用者の指または手に作用するてこの力が減少する。したがって、ＲＳＩの虞が減少するとともに、勤務時間がさらに快適になる。
【００１６】
（ｉｉ）ストラップの全長（またはストラップ長の大部分）を発光表示器として用いることができるので、使用者が表示を見落とすことがまずない。
（ｉｉｉ）図１のようなＬＥＤ表示器は孔や開口を要しないので、装置本体３のより良い密閉が提供されるとともに、さらに強固なハウジングが提供される。
【００１７】
（ｉｖ）発光帯は、スポット光源に比較して、使用者にとってより扱いやすいとともに、使用者の目に優しい。
（ｖ）発光が広い面積に亘っているので、低レベルの発光エネルギを用いればよい。したがって、エネルギ及び電位を抑えることによって、バッテリの重量及び大きさが減少される。
【図面の簡単な説明】
【００１８】
【図１】公知の装用型撮像装置の斜視図。
【図２】本発明を具体化した装用型撮像装置の斜視図。
【図１】
2008515025.tif 000003
【図２】
2008515025.tif 000004
【国際調査報告】
2008515025.tif 000005